(57)【要約】【課題】容体部においてサンドイッチ等の食品その他の物品を、安定的に姿態保持しつつ内包して陳列販売に供することができる物品包装用容器を提供することを課題とする。【解決手段】内包した食品その他の物品を安定的に姿態保持して陳列販売に供するためのプラスチック製物品包装用容器であって、前記包装用容器は少なくとも物品１１を収める容体部１を有し、容体部１は、対向する一対の側面に内方に円弧状に張り出す弾性支持面４，５を備える。【選択図】図１
2018062365.tif 000002
【特許請求の範囲】
【請求項１】
内包した食品その他の物品を安定的に姿態保持して陳列販売に供するためのプラスチック製物品包装用容器であって、
前記包装用容器は少なくとも物品を収める容体部を有し、前記容体部は、対向する一対の側面に内方に円弧状に張り出す弾性支持面を備えていることを特徴とする物品包装用容器。
【請求項２】
前記弾性支持面は、その上端部が前記容体部上面の嵌合枠から内方に延設される天面を介してその湾曲形状が保持される、請求項１に記載の物品包装用容器。
【請求項３】
前記弾性支持面は、半円を連ねた若しくは波状の縦リブ面とされる、請求項１又は２に記載の物品包装用容器。
【請求項４】
前記弾性支持面は、前記側面の全長に亘って形成される、請求項１乃至３のいずれかに記載の物品包装用容器。
【請求項５】
前記弾性支持面は、前記側面の中間部に形成される、請求項１乃至３のいずれかに記載の物品包装用容器。
【請求項６】
前記天面に補強用隆起部が形成される、請求項２乃至５のいずれかに記載の物品包装用容器。
【請求項７】
前記容体部に蓋部がヒンジを介して連設されて成る、請求項１乃至６のいずれかに記載の物品包装用容器。
【請求項８】
前記容体部は前記ヒンジ側が深くなる形状に成形され、前記蓋部は前記ヒンジ側が浅くなる形状に成形される、請求項７に記載の物品包装用容器。
【発明の詳細な説明】
【技術分野】
【０００１】
本発明は物品包装用容器に関するものであり、より詳細には、サンドイッチやケーキ等の食品その他の物品を、安定的に姿態保持しつつ内包して陳列販売に供することができる物品包装用容器に関するものである。
【背景技術】
【０００２】
例えば、パン屋やコンビニ店等におけるサンドイッチの陳列販売に際しては、サンドイッチは、その姿態保持のために、透明プラスチック容器に収納されることが多い。この透明プラスチックケースは、似通った形状に成形された容体部と蓋部とがヒンジ連結されて成るもので、サンドイッチを容体部に収納した後蓋部を閉じ、必要に応じてテープ留めするものである。
【０００３】
この従来の一般的サンドイッチ包装用容器における容体部は、通例、サンドイッチの出し入れを容易にするために、断面が逆台形状となるように成形されている。このような形状の包装用容器の場合、上部に行くにしたがって、収納されたサンドイッチの外側面と容体部の内壁との間の隙間が広がっていく。そのため、サンドイッチ収納後の運搬時、保管時、陳列時等に何らかの刺激を受けた場合、サンドイッチが傾くおそれがあり（図４参照）、それに伴って上部がバラけて具が乱れたり脱落したりし、見栄えが悪くなって商品価値が損なわれ、消費者の購買意欲をそぐおそれがある。
【先行技術文献】
【特許文献】
【０００４】
【特許文献１】特開２００３−３１２６３０号公報
【特許文献２】特開平９−１６５０７０号公報
【発明の概要】
【発明が解決しようとする課題】
【０００５】
上述したように、従来の一般的サンドイッチ包装用容器の場合は、その容体部が断面逆台形状に成形されているため、サンドイッチ収納後の運搬時、保管時、陳列時等に何らかの刺激を受けることでサンドイッチが傾くおそれがあり、それに伴って具が乱れたり脱落したりして見栄えが悪くなり、商品価値が損なわれて消費者の購買意欲がそがれるおそれがあった。
【０００６】
そこで本発明は、そのような問題のない、即ち、容体部においてサンドイッチ等の食品その他の物品を、安定的に姿態保持しつつ内包して陳列販売に供することができる構成簡易な物品包装用容器を提供することを課題とする。
【課題を解決するための手段】
【０００７】
上記課題を解決するための請求項１に記載の発明は、内包した食品その他の物品を安定的に姿態保持して陳列販売に供するためのプラスチック製物品包装用容器であって、前記包装用容器は少なくとも物品を収める容体部を有し、前記容体部は、対向する一対の側面に内方に円弧状に張り出す弾性支持面を備えていることを特徴とする物品包装用容器である。
【０００８】
一実施形態においては、前記弾性支持面は、その上端部が前記容体部上面の嵌合枠から内方に延設される天面を介してその湾曲形状が保持される。好ましくは、前記天面に補強用隆起部が形成される。
【０００９】
一実施形態においては、前記弾性支持面は、半円を連ねた若しくは波状の縦リブ面とされる。そして、前記弾性支持面は、前記側面の全長に亘って形成され、若しくは、前記弾性支持面は、前記側面の中間部に形成される。
【００１０】
一実施形態においては、前記容体部に蓋部がヒンジを介して連設される。好ましくはその場合、前記容体部は前記ヒンジ側が深くなる形状に成形され、前記蓋部は前記ヒンジ側が浅くなる形状に成形される。
【発明の効果】
【００１１】
本発明に係る物品包装用容器は上記のとおりであって、構成簡易であり、物品を収める容体部が、その対向する一対の側面に内方に円弧状に張り出す弾性支持面を備えているので、収納された物品はこの弾性支持面により両側から適度な面圧にて無理なく挟持され、安定的にその姿態を維持することができ、また、容体部内への物品の挿脱は、弾性支持面の両端部の広幅部を利用することにより、無理なくスムーズに行うことができるという効果がある。
【００１２】
例えば、容体部にサンドイッチを収納した場合、収納後の運搬時、保管時、陳列時等において何らかの刺激を受けたとしても、サンドイッチはその両面が弾性支持面に面接触して両側から弾性支持されるために傾倒することがなく、傾倒することによって具が乱れたり脱落したりし、見栄えが悪くなって商品価値が損なわれることがないという効果がある。
【図面の簡単な説明】
【００１３】
【図１】本発明に係る物品包装用容器の一実施形態（開蓋時）を示す斜視図である。
【図２】図１におけるＡ−Ａ線及びＢ−Ｂ線断面拡大図である。
【図３】本発明に係る物品包装用容器の一実施形態（閉蓋時）の起立状態を示す斜視図である。
【図４】従来の物品包装用容器における問題点を説明するための図である。
【発明を実施するための形態】
【００１４】
本発明は、食品その他の物品を、安定的に姿態保持しつつ内包して陳列販売に供するためのプラスチック製物品包装用容器であり、収納する物品としては、主にサンドイッチが想定されているが、それに限られる訳ではなく、ケーキその他の食品、並びに、食品以外の各種物品を陳列販売するための包装用容器として利用し得るものである。以下に、本発明を実施するための形態について、収納する物品をサンドイッチ１１として、添付図面を参照しつつ説明する。
【００１５】
本発明に係る物品包装用容器は、少なくとも物品を収める容体部１を有して成るものであり、換言すれば、容体部１のみで成り立ち得るものであるが、通例、図１に示される実施形態におけるように、容体部１に蓋部２がヒンジ３を介して連設されたものとされる。この容体部１、蓋部２及びヒンジ３は、通例、一般の食品包装用容器に用いられているのと同様の、透視可能なプラスチック製資材で一体に成形される。なお、添付図面においては図示を省略しているが、容体部１及び蓋部２には、一般のこの種容器に見られるような凹凸条が適宜形成される。
【００１６】
好ましくは、容体部１はヒンジ３側が深くなる形状に成形され、蓋部２はヒンジ３側が浅くなる形状に成形される。このような形状とした場合、図２に示されるように、サンドイッチ１１収納後の陳列時に、ヒンジ３を下にして起立させることが可能となり、そうすることによって、商品１個当たりの陳列スペースを少なくでき、また、消費者が容器内のサンドイッチ１１を確認しやすくなる。なお、容体部１の上面に嵌合枠６が形成され、蓋部２に、嵌合枠６を嵌合する受け枠７が形成され、容体部１に蓋部２を被着する際、嵌合枠６が受け部７内に密に収まって、その嵌合状態が維持されるようにされる。
【００１７】
容体部１は、対向する一対の側面が、内方に円弧状に張り出す弾性支持面４，５とされる。通例、弾性支持面４，５は、図示した例のように各側面の全長に亘るものとされるが、各側面の中央部のみに設けることとしてもよい。弾性支持面４，５は、容体部１の上面に形成される嵌合枠６から内方に延設される天面８を介して、その湾曲形状が保持される。天面８には、必要に応じ、補強用隆起部９が形成される。
【００１８】
弾性支持面４，５は平坦な曲面であってもよいが、好ましくは、サンドイッチ１１に当接することになる面が曲面となる、図示した例のような半円を連ねた若しくは波状の縦リブ面とされる。このように弾性支持面４，５を縦リブ面とすることにより、適度な弾性力が得られ、弾性支持面４，５間の間隔が若干拡縮可能となると共に、縦方向の負荷に対する抵抗力が備わる。
【００１９】
本発明に係る物品包装用容器にサンドイッチ１１を収納する場合は、弾性支持面４，５間の間隔が広い端部側から行うことにより、弾性支持面４，５間にスムーズに装入することができる。その後蓋部２を被せ、陳列に供する。陳列に際しては、ヒンジ３を下にして起立させることができる（図３参照）。そのように起立させて陳列する場合は、商品１個当たりの陳列スペースを少なくできるので、１つの陳列スペースに多くの商品を配置することが可能となり、また、消費者からすると、容器内のサンドイッチ１１を確認しやすくなる。
【００２０】
上記のようにして容体部１に収装されたサンドイッチ１１は、弾性支持面４，５により両側から適度な面圧にて挟持されるため、容体部１内収装後の運搬時、保管時、陳列時等において何らかの刺激を受けたとしても、安定的にその姿態を維持する。この弾性支持面４，５による作用効果は、本容器を起立させて陳列する場合においても発揮される。かくして、本発明に係る物品包装用容器を用いた場合は、サンドイッチ１１は傾倒することがなく、傾倒することによって具が乱れたり脱落したりし、見栄えが悪くなって商品価値が損なわれる事態が発生することはない。
【００２１】
上述したように、本発明に係る物品包装用容器は容体部１のみで成り立ち得るものであるが、容体部１のみの場合は、サンドイッチ１１収納後、ラップ掛けする。
【００２２】
以上、本発明について、収納する物品をサンドイッチ１１として説明してきたが、サンドイッチ１１以外の食品その他の物品の場合も同様の作用効果を奏することは言うまでもないところであり、本発明の産業上の利用可能性は大である。
【符号の説明】
【００２３】
１          容体部
２          蓋部
３          ヒンジ
４，５      弾性支持面
６          嵌合枠
７          受け枠
８          天面
９          補強用隆起部      
１１        サンドイッチ      
【図１】
2018062365.tif 000003
【図２】
2018062365.tif 000004
【図３】
2018062365.tif 000005
【図４】
2018062365.tif 000006